(57)【要約】【課題】放送中の各チャンネルの静止画を保存しておき、チャンネルの切換時に各チャンネルの静止画を一覧表示することができる情報記録再生装置を提供する。【解決手段】静止画保存処理部は、２個のチューナのうち一方のチューナでテレビ番組を受信中に、使用していない他方のチューナで裏のテレビ番組を順次受信し、この順次受信したテレビ番組の映像を静止画としてフラッシュメモリに保存させる。静止画一覧表示処理部は、ユーザがチャンネル切り換えのために一覧表示が選択されると、フラッシュメモリに保存されている静止画を読み出して縮小してモニタ装置に一覧表示を行う。したがって、チャンネルを切り換えたテレビ番組がどのような番組であるかを一見で確かめることができ、これにより、素早く希望のチャンネルを選択することができ、使い勝手が向上する。【選択図】図１
2008109312.tif 000002
【特許請求の範囲】
【請求項１】
テレビ放送信号を受信して選局する２個のチューナを有し、当該チューナで選局されたテレビ番組やその他の情報を記録媒体に記録したり、前記記録媒体に記録されたテレビ番組やその他の情報を再生したりする情報記録再生装置において、
前記２個のチューナのうち一方のチューナが使用中であるか否か判定するチューナ使用判定手段と、前記一方のチューナが使用していないと判定されたときに受信可能なチャンネルを選択してチャンネルを順次切り換えるチャンネル選択切換手段と、前記選択して切り換えられたチャンネルの画像を受信し静止画として内部メモリまたは前記記録媒体に保存させる静止画保存手段とを有する静止画保存処理部と、
使用中のチューナのチャンネルをユーザにより選択されたチャンネルに切り換えるチャンネル切換手段と、前記保存されている静止画が有れば静止画を一時的にディスプレイ装置に表示させる静止画表示手段と、前記使用中のチューナからの映像が表示可能であるか否かを判定する表示可否判定手段と、前記使用中のチューナからの映像が表示可能でないと判定されたときに、使用中のチューナからの映像が表示可能になる前に、チャンネル切り換えがあったか否かを判定するチャンネル切換判定手段と、前記使用中のチューナからの映像が表示可能であると判定されたとき、またはチャンネル切換判定手段によりチャンネル切換がなかったと判定されたときに、前記使用中のチューナの画像に切り換えるチューナ画像切換手段とを有するチャンネル切換処理部と、
ユーザがチャンネル切り換えのために一覧表示が選択されると、前記内部メモリまたは前記記録媒体に保存されている静止画を読み出して縮小する静止画縮小手段と、前記縮小された静止画をディスプレイ装置に一覧表示させる静止画一覧表示手段とを有する静止画一覧表示処理部と、を有するシステムコントローラを備えたことを特徴とする情報記録再生装置。
【請求項２】
テレビ放送信号を受信して選局する２個のチューナを有し、当該チューナで選局されたテレビ番組やその他の情報を記録媒体に記録したり、前記記録媒体に記録されたテレビ番組やその他の情報を再生したりする情報記録再生装置において、
前記２個のチューナのうち一方のチューナでテレビ番組を受信中に、使用していない他方のチューナで裏のテレビ番組を順次受信し、この順次受信したテレビ番組の映像を静止画として内部メモリまたは前記記録媒体に保存させる静止画保存処理部と、
ユーザがチャンネル切り換えのために一覧表示が選択されると、前記内部メモリまたは前記記録媒体に保存されている静止画を読み出して縮小してディスプレイ装置に一覧表示を行う静止画一覧表示処理部と、を有するシステムコントローラを備えたことを特徴とする情報記録再生装置。
【請求項３】
前記静止画保存処理部は、前記２個のチューナのうち一方のチューナが使用中であるか否か判定するチューナ使用判定手段と、前記一方のチューナが使用していないと判定されたときに受信可能なチャンネルを選択してチャンネルを順次切り換えるチャンネル選択切換手段と、前記選択して切り換えられたチャンネルの画像を受信し静止画として内部メモリまたは前記記録媒体に保存させる静止画保存手段とを有することを特徴とする請求項２に記載の情報記録再生装置。
【請求項４】
前記静止画一覧表示処理部は、ユーザがチャンネル切り換えのために一覧表示が選択されると、前記内部メモリまたは前記記録媒体に保存されている静止画を読み出して縮小する静止画縮小手段と、前記縮小された静止画をディスプレイ装置に一覧表示させる静止画一覧表示手段とを有することを特徴とする請求項２に記載の情報記録再生装置。
【請求項５】
前記システムコントローラは、使用中のチューナのチャンネルをユーザにより選択されたチャンネルに切り換えるチャンネル切換手段と、前記保存されている静止画が有れば静止画を一時的にディスプレイ装置に表示させる静止画表示手段と、前記使用中のチューナからの映像が表示可能であるか否かを判定する表示可否判定手段と、前記使用中のチューナからの映像が表示可能でないと判定されたときに、使用中のチューナからの映像が表示可能になる前に、チャンネル切り換えがあったか否かを判定するチャンネル切換判定手段と、前記使用中のチューナからの映像が表示可能であると判定されたとき、またはチャンネル切換判定手段によりチャンネル切換がなかったと判定されたときに、前記使用中のチューナの画像に切り換えるチューナ画像切換手段とを有するチャンネル切換処理部を備えたことを特徴とする請求項２に記載の情報記録再生装置。
【発明の詳細な説明】
【技術分野】
【０００１】
本発明は、テレビ放送信号を受信して選局する２個のチューナを有し、当該チューナで選局されたテレビ番組やその他の情報を記録媒体に記録したり、記録媒体に記録されたテレビ番組やその他の情報を再生したりする情報記録再生装置に関し、特に、チャンネル切換時に静止画を表示させる機能を有する情報記録再生装置に関する。
【背景技術】
【０００２】
近年、テレビ放送信号を受信して選局する２個のチューナを有し、当該チューナで選局されたテレビ番組やその他の情報を記録媒体に記録したり、記録媒体に記録されたテレビ番組やその他の情報を再生したりするハードディスクレコーダやＤＶＤレコーダなどの情報記録再生装置が普及しつつある。
【０００３】
このような情報記録再生装置を用いてテレビ番組を記録する場合、ユーザは、リモコンを操作して、記録したいテレビ番組が放送されるチャンネルにチューナを設定する。また、このような情報記録再生装置にモニタ装置やテレビ受信機が接続されている場合には、情報記録再生装置で再生された映像音声情報や、チューナで選局されたチャンネルのテレビ番組を、モニタ装置やテレビ受信機によって映像出力および音声出力することができる。
【特許文献１】特開２００５−２０４２７３号公報
【特許文献２】特開２００４−１９４３４７号公報
【発明の開示】
【発明が解決しようとする課題】
【０００４】
ところが、前記のような従来の情報記録再生装置では、チューナのチャンネルを切り換えた時、この後、切り換えたチャンネルの映像がモニタ装置やテレビ受信機のディスプレイ装置に表示されるまでの間、デコード処理されるので、映像が表示可能になるまでの期間（例えば１秒間）は何も表示されずに黒画面になり、これにより、チャンネルを切り換えたテレビ番組がどのような番組であるかを確かめるのが遅くなると言う課題が生じたり、ユーザが黒画面を見たときに、一瞬不快を感じるという課題が生じたりする。
【０００５】
なお、特許文献１に記載の従来技術は、ＴＶチューナを備えたＡＶサーバを含んだＡＶネットワークシステムにおいて、チャンネルの切り換えの指示があった場合に、デコードしたビデオ信号を直ぐにビデオ出力部からディスプレイに出力し、ディスプレイにて静止画として表示することにより、短い時間でユーザが希望するチャンネルの映像をディスプレイに表示することができるようにしているが、静止画を一覧表示し、この一覧表示された静止画を見ながらチャンネル切り換え行うことができないので、所望のテレビ番組の選択に多くの時間を要するという課題があり、また、この従来技術は、チューナが２個搭載した構成のものではない。
【０００６】
また、特許文献２に記載の従来技術は、放送チャンネルの代表画面を縮小した静止画を、使用者がセレクトボタンにて選択すると、ＣＰＵが、そのときのカーソルが位置する番組を受信するように、チューナを制御するようにしているが、使用していない他のチューナを利用するものではなく、また、情報記録再生装置に関するものではない。
【０００７】
本発明は、上記のような課題を解決するためになされたもので、放送中の各チャンネルの静止画を保存しておき、チャンネルの切換時に各チャンネルの静止画を一覧表示することができる情報記録再生装置を提供することを目的とする。
【課題を解決するための手段】
【０００８】
上記目的を達成するために、請求項１の発明は、テレビ放送信号を受信して選局する２個のチューナを有し、当該チューナで選局されたテレビ番組やその他の情報を記録媒体に記録したり、前記記録媒体に記録されたテレビ番組やその他の情報を再生したりする情報記録再生装置において、前記２個のチューナのうち一方のチューナが使用中であるか否か判定するチューナ使用判定手段と、前記一方のチューナが使用していないと判定されたときに受信可能なチャンネルを選択してチャンネルを順次切り換えるチャンネル選択切換手段と、前記選択して切り換えられたチャンネルの画像を受信し静止画として内部メモリまたは前記記録媒体に保存させる静止画保存手段とを有する静止画保存処理部と、使用中のチューナのチャンネルをユーザにより選択されたチャンネルに切り換えるチャンネル切換手段と、前記保存されている静止画が有れば静止画を一時的にディスプレイ装置に表示させる静止画表示手段と、前記使用中のチューナからの映像が表示可能であるか否かを判定する表示可否判定手段と、前記使用中のチューナからの映像が表示可能でないと判定されたときに、前記使用中のチューナからの映像が表示可能になる前に、チャンネル切り換えがあったか否かを判定するチャンネル切換判定手段と、前記使用中のチューナからの映像が表示可能であると判定されたとき、または前記チャンネル切換判定手段によりチャンネル切換がなかったと判定されたときに、前記使用中のチューナの画像に切り換えるチューナ画像切換手段とを有するチャンネル切換処理部と、ユーザがチャンネル切り換えのために一覧表示が選択されると、前記内部メモリまたは前記記録媒体に保存されている静止画を読み出して縮小する静止画縮小手段と、前記縮小された静止画をディスプレイ装置に一覧表示させる静止画一覧表示手段とを有する静止画一覧表示処理部と、を有するシステムコントローラを備えたことを特徴とする情報記録再生装置を提供する。
【０００９】
この構成において、先ず、静止画保存処理部のチューナ使用判定手段は、２個のチューナのうち一方のチューナが使用中であるか否かを判定する。そして、前記一方のチューナが使用していないと判定されたときに、静止画保存処理部のチャンネル選択切換手段は、受信可能なチャンネルを選択して、チャンネルを順次切り換える。静止画保存処理部の静止画保存手段は、前記切り換えられたチャンネルの画像を、受信して静止画として、例えば、内部メモリに保存させる。
【００１０】
使用中のチューナのチャンネルを切り換えると、チャンネル切換処理部のチャンネル切換手段は、使用中のチューナのチャンネルをユーザにより選択されたチャンネルに切り換える。このときに、内部メモリに保存されている静止画が有れば，チャンネル切換処理部の静止画表示手段は、その静止画を内部メモリから読み出して、一時的にディスプレイ装置に表示させる。次に、チャンネル切換処理部の表示可否判定手段は、使用中のチューナからの映像が表示可能であるか否かを判定する。使用中のチューナからの映像が表示可能でないと判定されたときには、チャンネル切換処理部のチャンネル切換判定手段は、使用中のチューナからの映像が表示可能になる前に、チャンネル切り換えがあったか否かを判定する。使用中のチューナからの映像が表示可能であると判定されたとき、またはチャンネル切換がなかったと判定されたときには、チャンネル切換処理部のチューナ画像切換手段は、使用中のチューナの画像に切り換える。
【００１１】
ユーザが使用中のチューナに対してチャンネル切り換えを行うために一覧表示を選択すると、静止画一覧表示処理部の静止画縮小手段は、内部メモリに保存されている静止画を読み出して、この静止画を縮小する。そして、静止画一覧表示処理部の静止画一覧表示手段は、前記縮小された静止画をディスプレイ装置の画面上に一覧表示させる。
【００１２】
この構成によれば、放送中の各チャンネルの静止画を保存しておき、チャンネルの切換時に各チャンネルの静止画を一覧表示することができるので、チャンネルを切り換えたテレビ番組がどのような番組であるかを一見で確かめることができ、これにより、素早く希望のチャンネルを選択することができ、使い勝手が向上する。
【００１３】
請求項２の発明は、テレビ放送信号を受信して選局する２個のチューナを有し、当該チューナで選局されたテレビ番組やその他の情報を記録媒体に記録したり、前記記録媒体に記録されたテレビ番組やその他の情報を再生したりする情報記録再生装置において、前記２個のチューナのうち一方のチューナでテレビ番組を受信中に、使用していない他方のチューナで裏のテレビ番組を順次受信し、この順次受信したテレビ番組の映像を静止画として内部メモリまたは前記記録媒体に保存させる静止画保存処理部と、ユーザがチャンネル切り換えのために一覧表示が選択されると、前記内部メモリまたは前記記録媒体に保存されている静止画を読み出して縮小してディスプレイ装置に一覧表示を行う静止画一覧表示処理部と、を有するシステムコントローラを備えたことを特徴とする情報記録再生装置を提供する。
【００１４】
この構成において、静止画保存処理部は、２個のチューナのうち一方のチューナでテレビ番組を受信中に、使用していない他方のチューナで裏のテレビ番組を順次受信し、この順次受信したテレビ番組の映像を静止画として内部メモリまたは記録媒体に保存させる。静止画一覧表示処理部は、ユーザがチャンネル切り換えのために一覧表示が選択されると、内部メモリまたは記録媒体に保存されている静止画を読み出して縮小してディスプレイ装置に一覧表示を行う。
【００１５】
この構成によれば、放送中の各チャンネルの静止画を保存しておき、チャンネルの切換時に各チャンネルの静止画を一覧表示することができるので、チャンネルを切り換えたテレビ番組がどのような番組であるかを一見で確かめることができ、これにより、素早く希望のチャンネルを選択することができ、使い勝手が向上する。
【００１６】
請求項３の発明では、請求項２の発明において、前記静止画保存処理部は、前記２個のチューナのうち一方のチューナが使用中であるか否か判定するチューナ使用判定手段と、前記一方のチューナが使用していないと判定されたときに受信可能なチャンネルを選択してチャンネルを順次切り換えるチャンネル選択切換手段と、前記選択して切り換えられたチャンネルの画像を受信し静止画として内部メモリまたは前記記録媒体に保存させる静止画保存手段とを有することを特徴とする。
【００１７】
したがって、前記静止画保存処理部は、チューナ使用判定処理、チャンネル選択切換処理、および静止画保存処理を実現でき、これにより、放送中の各チャンネルの静止画を保存することが可能になる。
【００１８】
請求項４の発明では、請求項２の発明において、前記静止画一覧表示処理部は、ユーザがチャンネル切り換えのために一覧表示が選択されると、前記内部メモリまたは前記記録媒体に保存されている静止画を読み出して縮小する静止画縮小手段と、前記縮小された静止画をディスプレイ装置に一覧表示させる静止画一覧表示手段とを有することを特徴とする。
【００１９】
したがって、前記静止画一覧表示処理部は、静止画縮小処理および静止画一覧表示処理を実現でき、これにより、チャンネルの切換時に各チャンネルの静止画を一覧表示することが可能になる。
【００２０】
請求項５の発明では、請求項２の発明において、前記システムコントローラは、使用中のチューナのチャンネルをユーザにより選択されたチャンネルに切り換えるチャンネル切換手段と、前記保存されている静止画が有れば静止画を一時的にディスプレイ装置に表示させる静止画表示手段と、前記使用中のチューナからの映像が表示可能であるか否かを判定する表示可否判定手段と、前記使用中のチューナからの映像が表示可能でないと判定されたときに、使用中のチューナからの映像が表示可能になる前に、チャンネル切り換えがあったか否かを判定するチャンネル切換判定手段と、前記使用中のチューナからの映像が表示可能であると判定されたとき、またはチャンネル切換判定手段によりチャンネル切換がなかったと判定されたときに、前記使用中のチューナの画像に切り換えるチューナ画像切換手段とを有するチャンネル切換処理部を備えたことを特徴とする。
【００２１】
このチャンネル切換処理部においては、使用中のチューナのチャンネルを切り換えると、チャンネル切換手段は、使用中のチューナのチャンネルをユーザにより選択されたチャンネルに切り換える。このときに、例えば内部メモリに保存されている静止画が有れば，静止画表示手段は、その静止画を内部メモリから読み出して、一時的にディスプレイ装置に表示させる。次に、表示可否判定手段は、使用中のチューナからの映像が表示可能であるか否かを判定する。使用中のチューナからの映像が表示可能でないと判定されたときには、チャンネル切換判定手段は、使用中のチューナからの映像が表示可能になる前に、チャンネル切り換えがあったか否かを判定する。使用中のチューナからの映像が表示可能であると判定されたとき、またはチャンネル切換がなかったと判定されたときには、チューナ画像切換手段は、使用中のチューナの画像に切り換える。
【発明の効果】
【００２２】
以上のように本発明によれば、テレビ放送信号を受信して選局する２個のチューナを有し、当該チューナで選局されたテレビ番組やその他の情報を記録媒体に記録したり、前記記録媒体に記録されたテレビ番組やその他の情報を再生したりする情報記録再生装置において、前記２個のチューナのうち一方のチューナが使用中であるか否か判定するチューナ使用判定手段と、前記一方のチューナが使用していないと判定されたときに受信可能なチャンネルを選択してチャンネルを順次切り換えるチャンネル選択切換手段と、前記選択して切り換えられたチャンネルの画像を受信し静止画として内部メモリまたは前記記録媒体に保存させる静止画保存手段とを有する静止画保存処理部と、使用中のチューナのチャンネルをユーザにより選択されたチャンネルに切り換えるチャンネル切換手段と、前記保存されている静止画が有れば静止画を一時的にディスプレイ装置に表示させる静止画表示手段と、前記使用中のチューナからの映像が表示可能であるか否かを判定する表示可否判定手段と、前記使用中のチューナからの映像が表示可能でないと判定されたときに、前記使用中のチューナからの映像が表示可能になる前に、チャンネル切り換えがあったか否かを判定するチャンネル切換判定手段と、前記使用中のチューナからの映像が表示可能であると判定されたとき、または前記チャンネル切換判定手段によりチャンネル切換がなかったと判定されたときに、前記使用中のチューナの画像に切り換えるチューナ画像切換手段とを有するチャンネル切換処理部と、ユーザがチャンネル切り換えのために一覧表示が選択されると、前記内部メモリまたは前記記録媒体に保存されている静止画を読み出して縮小する静止画縮小手段と、前記縮小された静止画をディスプレイ装置に一覧表示させる静止画一覧表示手段とを有する静止画一覧表示処理部と、を有するシステムコントローラを備えたので、放送中の各チャンネルの静止画を保存しておき、チャンネルの切換時に各チャンネルの静止画を一覧表示することができ、これにより、チャンネルを切り換えたテレビ番組がどのような番組であるかを一見で確かめることができ、したがって、素早く希望のチャンネルを選択することができ、使い勝手が向上する。
【００２３】
また、本発明によれば、テレビ放送信号を受信して選局する２個のチューナを有し、当該チューナで選局されたテレビ番組やその他の情報を記録媒体に記録したり、前記記録媒体に記録されたテレビ番組やその他の情報を再生したりする情報記録再生装置において、前記２個のチューナのうち一方のチューナでテレビ番組を受信中に、使用していない他方のチューナで裏のテレビ番組を順次受信し、この順次受信したテレビ番組の映像を静止画として内部メモリまたは前記記録媒体に保存させる静止画保存処理部と、ユーザがチャンネル切り換えのために一覧表示が選択されると、前記内部メモリまたは前記記録媒体に保存されている静止画を読み出して縮小してディスプレイ装置に一覧表示を行う静止画一覧表示処理部と、を有するシステムコントローラを備えたので、放送中の各チャンネルの静止画を保存しておき、チャンネルの切換時に各チャンネルの静止画を一覧表示することができ、これにより、チャンネルを切り換えたテレビ番組がどのような番組であるかを一見で確かめることができ、したがって、素早く希望のチャンネルを選択することができ、使い勝手が向上する。
【発明を実施するための最良の形態】
【００２４】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置と光ディスク装置とが組み込まれた複合型記録再生装置について説明するが、本実施形態の特徴とする静止画表示機能は、複合型記録再生装置に限らず、単体のハードディスク装置や光ディスク装置に設ければ、同様な効果を得ることができる。
【００２５】
図１において、複合型記録再生装置１は、光ディスクとしてのＤＶＤ１５などに対して情報の記録／再生を行うＤＶＤレコーダである光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力する２個のチューナ（デジタルチューナ）４ａ，４ｂと、光ディスク装置２またはハードディスク装置３またはチューナ４ａまたはチューナ４ｂから出力された映像音声信号を復号するデコーダ５と、チューナ４ａ，４ｂが受信可能な放送チャンネルを記憶すると共にシステムコントローラ１０の動作に必要なプログラムなどを記憶するフラッシュメモリ６とを備えている。
【００２６】
また、この複合型記録再生装置１は、デコーダ５で復号された映像信号をモニタ装置（テレビ受信機など）１３のディスプレイ装置１３１で表示可能な映像信号に変換する映像出力部７と、タイトルリスト画面などをモニタ装置１３のディスプレイ装置１３１に表示させるためのＯＳＤ回路１２と、デコーダ５で復号された音声信号をモニタ装置１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２７】
システムコントローラ１０は、本実施形態の特徴として、２個のチューナ４ａ，４ｂのうち一方のチューナが使用中であるか否か判定するチューナ使用判定手段と、前記一方のチューナが使用していないと判定されたときに受信可能なチャンネルを選択してチャンネルを順次切り換えるチャンネル選択切換手段と、前記選択して切り換えられたチャンネルの画像を受信し静止画として内部メモリ（フラッシュメモリ６）または記録媒体（ＨＤ１４）に保存させる静止画保存手段とを有する静止画保存処理部１０１を備えている。
【００２８】
また、システムコントローラ１０は、使用中のチューナのチャンネルをユーザにより選択されたチャンネルに切り換えるチャンネル切換手段と、前記保存されている静止画が有れば静止画を一時的にディスプレイ装置１３１に表示させる静止画表示手段と、前記使用中のチューナからの映像が表示可能であるか否かを判定する表示可否判定手段と、前記使用中のチューナからの映像が表示可能でないと判定されたときに、使用中のチューナからの映像が表示可能になる前に、チャンネル切り換えがあったか否かを判定するチャンネル切換判定手段と、前記使用中のチューナからの映像が表示可能であると判定されたとき、またはチャンネル切換判定手段によりチャンネル切換がなかったと判定されたときに、前記使用中のチューナの画像に切り換えるチューナ画像切換手段とを有するチャンネル切換処理部１０２を備えている。
【００２９】
また、システムコントローラ１０は、ユーザがチャンネル切り換えのために一覧表示が選択されると、内部メモリ（フラッシュメモリ６）または記録媒体（ＨＤ１４）から静止画を読み出して縮小する静止画縮小手段と、前記縮小された静止画をディスプレイ装置１３１に一覧表示させる静止画一覧表示手段とを有する静止画一覧表示処理部１０３を備えている。
【００３０】
図２は本実施形態において静止画保存処理を説明するためのフローチャートである。このフローチャートおよび図１を参照して静止画保存処理について説明する。ここでは、静止画はフラッシュメモリ６に保存させるものとして説明するが、ＨＤ１４に保存させても良い。また、テレビ番組を記録またはテレビ番組を視聴するために使用している方のチューナをチューナ４ａとし、使用していない方のチューナをチューナ４ｂとして説明する。
【００３１】
先ず、システムコントローラ１０の静止画保存処理部１０１のチューナ使用判定手段は、２個のチューナ４ａ，４ｂのうち一方のチューナが使用中であるか否かを判定する（ステップＳ１）。チューナが使用中であるか否かの判定は、例えば、チューナの出力信号の状態あるいはチューナへの制御信号の状態を検出すれば可能である。そして、前記一方のチューナ（チューナ４ｂ）が使用していないと判定されたときに、静止画保存処理部１０１のチャンネル選択切換手段は、受信可能なチャンネルを選択して（ステップＳ２）、フラッシュメモリ６に登録し、この登録されたチャンネルを順次切り換える（ステップＳ３）。静止画保存処理部１０１の静止画保存手段は、前記切り換えられたチャンネルの画像（画像データ）を、受信して静止画（静止画データ）としてフラッシュメモリ６に保存させる（ステップＳ４）。一方のチューナ（チューナ４ｂ）が使用中でないときは、ステップＳ１〜ステップＳ４の処理が繰り返され、フラッシュメモリ６に保存される静止画（静止画データ）は、更新されていく。
【００３２】
図３は本実施形態においてチャンネル切換処理を説明するためのフローチャートである。このフローチャートおよび図１を参照してチャンネル切換処理について説明する。
【００３３】
ユーザがリモコン１１を操作して使用中のチューナ４ａのチャンネルを切り換えると、システムコントローラ１０のチャンネル切換処理部１０２のチャンネル切換手段は、使用中のチューナ４ａのチャンネルをユーザにより選択されたチャンネルに切り換える（ステップＳ５）。このときに、フラッシュメモリ６に保存されている静止画（静止画データ）が有れば，チャンネル切換処理部１０２の静止画表示手段は、その静止画（静止画データ）をフラッシュメモリ６から読み出して、一時的にモニタ装置１３のディスプレイ装置１３１に表示させる（ステップＳ６）。
【００３４】
次に、チャンネル切換処理部１０２の表示可否判定手段は、使用中のチューナ４ａからの映像が表示可能であるか否かを判定する（ステップＳ７）。使用中のチューナ４ａからの映像が表示可能でないと判定されたときには、チャンネル切換処理部１０２のチャンネル切換判定手段は、使用中のチューナ４ａからの映像が表示可能になる前に、チャンネル切り換えがあったか否かを判定する（ステップＳ８）。使用中のチューナ４ａからの映像が表示可能になる前に、チャンネル切り換えがあったと判定されたときは、ステップＳ５の処理に戻る。
【００３５】
使用中のチューナ４ａからの映像が表示可能であると判定されたとき（ステップＳ７）、またはチャンネル切換がなかったと判定されたときには（ステップＳ８）、チャンネル切換処理部１０２のチューナ画像切換手段は、使用中のチューナ４ａの画像に切り換える（ステップＳ９）。
【００３６】
図４は本実施形態においてチャンネル一覧表示処理を説明するためのフローチャートである。このフローチャートおよび図１を参照してチャンネル一覧表示処理について説明する。
【００３７】
ユーザがリモコン１１を操作して、使用中のチューナ４ａに対してチャンネル切り換えを行うために一覧表示を選択すると、システムコントローラ１０の静止画一覧表示処理部１０３の静止画縮小手段は、フラッシュメモリ６に保存されている静止画（静止画データ）を読み出して、この静止画（静止画データ）を縮小する（ステップＳ１０）。なお、フラッシュメモリ６には、使用していないチューナ４ｂのチャンネルが一定時間間隔で切り換えられて得られた各チャンネルの映像による静止画データが保存され、また、その保存された静止画データは、更新されていく。
【００３８】
そして、静止画一覧表示処理部１０３の静止画一覧表示手段は、前記縮小された静止画をモニタ装置１３のディスプレイ装置１３１の画面上に一覧表示させる（ステップＳ１１）。例えば、図５に示すように、ディスプレイ装置１３１の画面１３１ａ上に、例えば、チャンネル１の静止画ｅ１、チャンネル２の静止画ｅ２、チャンネル３の静止画ｅ３、チャンネル４の静止画ｅ４、チャンネル５の静止画ｅ５、およびチャンネル６の静止画ｅ６が、一覧表示される。
【００３９】
このように静止画が一覧表示されているときに、ユーザのリモコン１１の操作により、システムコントローラ１０のチャンネル切換処理部１０２は、チャンネル切り換えがあったことを検知したときに（ステップＳ１２）、使用中のチューナ４ａに対してチャンネル切換を行う。このチャンネル切り換え処理は、図３で説明したチャンネル切り換え処理により実行される。
【００４０】
以上説明したように本実施形態によれば、放送中の各チャンネルの静止画を保存しておき、チャンネルの切換時に各チャンネルの静止画を一覧表示することができ、これにより、チャンネルを切り換えたテレビ番組がどのような番組であるかを一見で確かめることができ、したがって、素早く希望のチャンネルを選択することができ、使い勝手が向上する。
【産業上の利用可能性】
【００４１】
本発明は、ハードディスクレコーダやＤＶＤレコーダなどのチャンネル切換時における静止画の一覧表示の処理に利用可能である。
【図面の簡単な説明】
【００４２】
【図１】本発明の一実施形態に係る情報記録再生装置としての複合型記録再生装置の構成を示すブロック図である。
【図２】前記実施形態において静止画保存処理を説明するためのフローチャートである。
【図３】前記実施形態においてチャンネル切換処理を説明するためのフローチャートである。
【図４】前記実施形態においてチャンネル一覧表示処理を説明するためのフローチャートである。
【図５】前記実施形態において一覧表示画面の一例を示す図である。
【符号の説明】
【００４３】
１    複合型記録再生装置（情報記録再生装置）
４ａ，４ｂ    チューナ
６    フラッシュメモリ（内部メモリ）
１０    システムコントローラ
１４    ＨＤ（記録媒体）
１５    ＤＶＤ（記録媒体）
１０１    静止画保存処理部
１０２    チャンネル切換処理部
１０３    静止画一覧表示処理部
１３１    ディスプレイ装置
【図１】
2008109312.tif 000003
【図２】
2008109312.tif 000004
【図３】
2008109312.tif 000005
【図４】
2008109312.tif 000006
【図５】
2008109312.tif 000007